Podtech/llm-jp-corpus-v4-ja_patent huggingface dataset:
(57)【要約】      （修正有）【課題】クライミング中の体勢が厳しい状況でも左右の手を無駄の無い自然な動作でスムーズに手を入れられるチョークバックを提供する。【解決手段】開口部２を斜め側面に左右二ヶ所設けるとこで、手がスムーズに入れられるようになり、無駄な動作とストレスが軽減される。【選択図】図１
2017070694.tif 000002
【特許請求の範囲】
【請求項１】
開口部を左右二ヶ所に設けたことを特徴とするチョークバック。
【請求項２】
請求項１記載の左右二ヶ所開口部を斜め側面に設けたことを特徴とするチョークバック。
【発明の詳細な説明】
【技術分野】
【０００１】本発明は、ロッククライミング、スポーツクライミング、ジムクライミングで使用するチョークバックの開口部形状に関するものである。
【背景技術】
【０００２】従来のチョークバック開口部形状は、図２で示すように本体形状上部一ヶ所の開口部に手を入れて使用する。【０００３】又、チョークバックは、図３で示すように使用者の背面中央に附属のベルトで取り付け腰からぶら下げて使用する為、クライミング中  常に見えないチョークバックを手探りで左右それぞれの手を開口部に入れて使用する。【０００４】さらに、従来のチョークバックに手を入れる際は、図４で示すように腕を後ろにまわし、手を横から縦にひねり、開口部を探すように手を入れる動作になる。
【発明の概要】
【発明が解決しようとする課題】
【０００５】しかしながら、以上の技術では、チョークバックに手を入れる動作がスムーズではなかった。そこで、本発明はチョークバックに手を入れる際、手探り動作のストレスを軽減し、クライミング中の体勢が厳しい状況でも左右の手を無駄の無い自然な動作でスムーズに手を入れられるチョークバックを提供することを課題とする。
【課題を解決するための手段】
【０００６】以上の課題を解決するために、第一の発明は開口部をチョークバック本体上部に左右二ヶ所設けた形状を特徴とするチョークバックである。
また、第二の発明は左右二ヶ所の開口部をチョークバック本体上部の斜め側面に設け、左右それぞれ手を下ろした際に側面の開口部から手をそのまま入れられる形状を特徴とするチョークバックである。
【発明の効果】
【０００７】第一発明、または第二発明によれば、チョークバックに手を入れる際の無駄な動作とストレスが軽減され、スムーズに手を入れられることにより、クライミング中のリスク（滑落等）が軽減され、より安全なクライミングを行うことができる。
【図面の簡単な説明】
【０００８】
【図１】本発明の一実施形態を示す  開口部が側面に左右二ヶ所設けられた形状の正面図
【図２】従来の開口部を示す形状の斜視図
【図３】チョークバック使用時の取り付け位置を表した図
【図４】従来の開口部に手を入れる時の動作を表した図
【発明を実施するための形態】
【０００９】本発明の一実施形態を、図１に示す。
左右両方の手をそれぞれスムーズに入れる為にチョークバック本体上部の斜め側面１に左右二ヶ所の開口部２を設けた構造で、手を自然に下ろした位置３のチョークバック側面から手を入れる構造になっている
【００１０】「実施形態の効果」
この実施形態によれば、チョークバックに手を入れる際、腕を下ろした位置３から側面開口部１に手をスムーズ（自然）にチョークバックに入れられることが可能で無駄な動きとストレスの軽減になる。又、左右二ヶ所の開口部２によって左右両方の手がそれぞれスムーズに入れられることより、クライミング中のリスク（滑落等）が軽減され、より安全にクライミングを楽しむことができる。
【符号の説明】
【００１１】１斜め側面開口部    ２左右二ヶ所の開口部    ３手を自然に下ろした位置
４取り付けベルト
【図１】
2017070694.tif 000003
【図２】
2017070694.tif 000004
【図３】
2017070694.tif 000005
【図４】
2017070694.tif 000006
(57)【要約】【課題】  洗濯物のハンガーを、ダブルカーテンレールに掛けて干すときに、洗濯物がカーテンに触れないようにするための、カーテンレールハンガー掛を提供する。【解決手段】  ダブルカーテンレールにハンガー掛本体を固定し、これに洗濯物を掛けるため、ハンガー掛本体の端部に差し込み部を設け、奥のカーテンレール側面に挿入出来るようにし、その反対位置に、挟み込み固定部を設け、手前のカーテンレール間に固定し、押え面で手前のカーテンレールの上部を押し付けるように設け、ハンガー掛本体に、洗濯物がカーテンなどに触れない位置に突起部を設け、洗濯物のハンガーを掛けることを特徴とするカーテンレールハンガー掛。【選択図】図１
2017070695.tif 000002
【特許請求の範囲】
【請求項１】
ダブルカーテンレールにハンガー掛本体を固定し、これに洗濯物を掛けるため、ハンガー掛本体の端部に差し込み部を設け、奥のカーテンレール側面に挿入出来るようにし、その反対位置に、挟み込み固定部を設け、手前のカーテンレール間に固定し、押え面で手前のカーテンレールの上部を押し付けるように設け、ハンガー掛本体に、洗濯物がカーテンなどに触れない位置に突起部を設け、洗濯物のハンガーを掛けることを特徴とするカーテンレールハンガー掛。
【発明の詳細な説明】
【技術分野】
【０００１】  本発明は、洗濯物のハンガーを、ダブルカーテンレールに掛けて干すときに、洗濯物がカーテンに触れないようにするための、カーテンレールハンガー掛に関するものである。
【背景技術】
【０００２】  従来は、洗濯物のハンガーをカーテンレールに直接掛けていた。
また、伸縮、格納できる室内物干し具があった。（特許文献１参照）。
さらに、物干し竿による室内物干し具があった。（特許文献２参照）
【先行技術文献】
【特許文献】
【０００３】
【特許文献１】  特開２０１０−１３１３４４号公報
【特許文献２】  特開２０１０−２０１１４５号公報
【発明の概要】
【発明が解決しようとする課題】
【０００４】  そのために、次のような問題点があった。
（イ）カーテンレール２本を、ブラケットで固定し窓枠に取り付けたダブルカーテンレー    ルに、洗濯物のハンガーを直接掛けると、ハンガーがカーテンに引っかかり、カーテ    ンの開閉が困難で不便であった。また、カーテンが寄って見た目が悪かった。
（ロ）窓の部分に室内干しするためには、物干し具の取り付け工事等が必要で借家等に適    さなかった。
本発明は、これらの問題点を解決するためになされたものである。
【課題を解決するための手段】
【０００５】  ダブルカーテンレールにハンガー掛本体を固定し、これに洗濯物を掛けるため、ハンガー掛本体の端部に差し込み部を設け、奥のカーテンレール側面に挿入出来るようにし、その反対位置に、挟み込み固定部を設け、手前のカーテンレール間に固定し、押え面で手前のカーテンレールの上部を押し付けるように設ける。
ハンガー掛本体に、洗濯物がカーテンなどに触れない位置に突起部を設け、洗濯物のハンガーを掛ける。
以上を特徴とするカーテンレールハンガー掛である。
【発明の効果】
【０００６】  ハンガー掛本体は、常時、ダブルカーテンレールの間に挟み込み固定し、洗濯物をカーテンなどに触れない位置の突起部に掛けるので、カーテンの開閉がスムーズであり、洗濯物の室内干しが出来る。
シンプルで取り付け工事等の必要が無く、借家等にも適している。
【図面の簡単な説明】
【０００７】
【図１】  本発明の斜視図
【図２】  本発明をダブルカーテンレールに挟み込んだ状態を示した斜視図
【図３】  本発明の使用状態を示した斜視図
【発明を実施するための形態】
【０００８】  以下、本発明の実施の形態について説明する。
（イ）ハンガー掛本体（１）の端部に差し込み部（２）を設け、ダブルカーテンレール（    ３）の奥のカーテンレール側面（４）に挿入出来るように設ける。
（ロ）ハンガー掛本体（１）の端部の反対位置に、挟み込み固定部（５）を設け、ダブル    カーテンレール（３）の手前のカーテンレール（６）間に、挟み込み固定部（５）で    固定し、押え面（７）で手前のカーテンレール（６）の上部を押し付けるように設け    る。
（ハ）洗濯物がカーテンなどに触れない位置に突起部（８）を設け、洗濯物のハンガーを掛ける。
本発明は以上のような構成である。
本発明を使用するときは、ハンガー掛本体（１）をダブルカーテンレール（３）の奥のカーテンレール側面（４）に差し込み部（２）を挿入し、手前のカーテンレール（６）間に、挟み込み固定部（５）で固定し、押え面（７）で手前のカーテンレール（６）の上部を押し付け、室内内側に突き出すように取り付ける。
洗濯物のハンガー（９）は、カーテンなどに触れない位置の突起部（８）に掛けるので、洗濯物がカーテンに触れずカーテンの開閉がスムーズで、簡単にスッキリと洗濯物の室内干しができる。
【符号の説明】
【０００９】    １  ハンガー掛本体
２  差し込み部
３  ダブルカーテンレール
４  側面
５  挟み込み固定部
６  カーテンレール
７  押え面
８  突起部
９  ハンガー
【図１】
2017070695.tif 000003
【図２】
2017070695.tif 000004
【図３】
2017070695.tif 000005
(57)【要約】      （修正有）【課題】椅子等に座っている時、背中の蒸し暑さや汗蒸れを抑制するため、気流による涼感を効率よく得られる背あてスー涼クッションを提供する。【解決手段】本体フレーム１の支点又は支点から作用点にかけて、弾性に富む材質のバネ部５を用いて、その反発力で空気を吸気させ、メッシュ材背あて部７を背あて面に多数孔配置した空気ポンプ役の空気袋２を連動させ、使用者が座った状態で、背面上半身で背あて面を押して排気させることで、通気孔から背中に気流を当てて涼感が得られる。【選択図】図１
2017070698.tif 000002
【特許請求の範囲】
【請求項１】
本体には硬質な金属又は硬質樹脂材又は木材を使用し、本体（１）の支点又は作用点（５）にバネの性質を持つ弾性に富んだ材質を用い、本体に組み込み固定した空気袋（２）を本体の弾性と使用者の動きで吸排気の作動をさせて、通気孔（６）より使用者の背中に気流を送るスー涼クッション。
【請求項２】
空気袋（２）及び空気袋の通気孔（６）を使用者の背中に密着させないよう、空気袋の通気孔（６）と使用者のメッシュ材の背あて部（７）との間に使用者が通気させようと背もたれ部を押した時も間隔を保持する部材（３）を設け適度な間隔（４）を持たせたスー涼クッション。
【請求項３】
上記［請求項１］と［請求項２］を組み合わせたスー涼クッション。
【発明の詳細な説明】
【技術分野】
【０００１】  この発明は、椅子類に座っているときに、背あて部に蒸し暑さを感じることを抑制する気流を使用者が適宜に人造的に起こし涼感を得られるスー涼クッションに関するものである。
本発明は本体の支点又は支点から作用点にかけてバネの性質を持つ弾性に富む材質を用いて、その反発力で空気を吸気させ、通気口を背あて面に多数孔配置した空気ポンプ役の空気袋を連動させ、使用者が座った状態で背面上半身で背あて面を押して排気させることで、通気孔から背中に気流を当てて涼感を得られる背あてスー涼クッションである。
背あて部と通気口を密着させない適度な感覚を保たせる事と、背あて面をメッシュ材にする事で、空気袋の通気孔からの気流により涼感を効率よく得られる背あてスー涼クッションである。
【背景技術】
【０００２】  従来、メッシュ構造だけの単体背あてや、電源を使用して、強制的に送風するタイプのものがありますが、本発明は使用者の意思で適宜に自身の体を動かす事で通気させ、涼感を得られるようにしたものである。
【先行技術文献】
【０００３】
【特許文献１】
【非特許文献１】
【発明の概要】
【発明が解決しようとする課題】
【０００４】  従来のものは、次のような問題点があった。
（イ）メッシュ構造単体のものは、椅子等の背あて面に直接背中を当てないようにして蒸し暑さ感を防ぐものはあるが気流を起す機能がない。
（ロ）電源を使用するものは、電源がないと使用できない。
本発明は、使用者が適宜に人造的に通気を起こし、使用者のメッシュ材の背あて部に通気を送り、椅子等の背あて部との密着による蒸し暑さを防ぎ、電源も必要としない省エネであり、使用者自身の動きで通気を起こし、涼感を得られるものである。
【課題を解決するための手段】
【０００５】（イ）本体の支点又は支点から作用点にかけてバネの性質を持つ弾性に富む材質を用いて反発力を持たせた。
（ロ）本体の反発力と連動する、空気を吸排気できる通気孔を多数孔配置した空気袋を設けた。
（ハ）背あて面と通気孔を密着させない適度な間隔を持たせた。
（二）背あて面をメッシュ材にし、空気袋の通気孔からの気流で涼感を効率よく得られる構造にした。
【発明の効果】
【０００６】（イ）使用者が座った状態で上半身を前後させる動きで空気袋の通気孔から排気する気流を使用者の背中に送り、涼感を得られる。
（ロ）使用者自身の適宜な動きで作動し、電源も必要としない省エネ構造である。
（ハ）体を動かして作動させる事が、眠気を抑制する効果を生む。
【図面の簡単な説明】
【０００７】
【図１】  本発明の立体図である。
【図２】  本発明の側面図、空気袋が吸気した状態である。
【図３】  本発明の側面図、空気袋が排気した状態である。
【発明を実施するための形態】
【０００８】  以下、本発明の実施の形態について説明する。
本発明は、本体の支点又は支点から作用点にかけてバネの性質を持つ弾性に富んだ材質を用いた本体。
本体の弾性を利用して吸気し、使用者が背中で押す力で使用者の背中に気流を送る通気孔を配置した空気袋。
空気袋の排気を効率よく使用者の背中に作用するように、通気孔と使用者の背中に当たる背あて部に適度な間隔を設け、通気孔と背中を密着させないための空間を保つ間隔を保持する部材を設けた。
通気孔からの排気を使用者の背中に効率よく伝える、メッシュ材を用いた背あて部。
本発明は以上のような構成である。
これを使用するときは、椅子類の背あて部クッションとして通常に使用し、使用者が暑苦しさを感じて通気させたいときは、適宜に座ったまま上半身を前後に動かす。
【符号の説明】
【０００９】      １  本体フレーム
２  空気袋
３  空気袋の通気孔とメッシュ材背あて部の間隔保持部材
４  空気袋の通気孔とメッシュ材背あて部の間隔
５  弾性に富んだ材質のバネ部
６  空気袋と空気袋固定板材に開けた通気孔
７  メッシュ材背あて部
８  本体フレームに固定して空気袋を固定し通気孔を設けた板材  前面
９  本体フレームに固定して空気袋を固定した板材  後面
【図１】
2017070698.tif 000003
【図２】
2017070698.tif 000004
【図３】
2017070698.tif 000005
(57)【要約】【課題】  調理中に煮汁が鍋から跳ねたり、ふきこぼれないように鍋と蓋の隙間を段階的に調節出来るようにした、鍋と蓋の隙間調節具を提供する。【解決手段】  調節具本体を弾力と耐熱性があるシリコンゴム等で設け、調節具本体の一方の端に、鍋と蓋の縁を挟み込める溝け、調節具本体の胴体に階段状の凸凹を複数設けもう一方の端に調節ツマミを設ける。  以上を特徴とする鍋と蓋の隙間調節具。【選択図】図１
2017070697.tif 000002
【特許請求の範囲】
【請求項１】
調節具本体を弾力性と耐熱性があるシリコンゴム等や合成樹脂で設け、一方の端に、鍋と蓋の縁を挟み込める溝を設け、胴体に階段状の凸凹を複数設け、もう一方の端に調節ツマミを設け、鍋と蓋の縁を溝で挟み込み、階段状の凸凹に蓋の縁を載せることを特徴とする鍋と蓋の隙間調節具である。
【請求項２】
調整具本体をＬ字形とした、請求項１の隙間調節具。
【請求項３】
調節具本体を動植物の意匠とした、請求項１の隙間調節具。
【発明の詳細な説明】
【技術分野】
【０００１】  本発明は、調理中に煮汁が鍋から跳ねたり、ふきこぼれないように鍋と蓋の隙間を段階的に調節出来るようにした、調理器具に関するものである。
【背景技術】
【０００２】  従来、調理中は鍋等から蓋は外して置いておくか、ふきこぼれないように鍋から蓋を横にずらし、隙間を開けていた。
また、蓋を立てて置くための補助具を取り付けた蓋や、蓋に着脱可能な補助具も考えられている。
また蓋の取手部分へ取り付ける、着脱式蓋スタンドが考案されている（特許文献１参照）。
【先行技術文献】
【特許文献】
【０００３】
【特許文献１】  特開２０１０−２３０９８０号広報
【発明の概要】
【発明が解決しようとする課題】
【０００４】  そのため、次のような問題点があった。
（イ）調理中、鍋から蓋を外すと調理の熱が逃げてしまい、火力が無駄になっていた。
（ロ）調理中、蓋を外していると煮汁等が跳ねて周囲が汚れていた。
（ハ）キャンプ等屋外で調理中、鍋から蓋を外してしまうと、埃や虫が入り不衛生であった。
（ニ）ふきこぼれないように鍋から蓋を横にずらし隙間を空けると、調理中の振動で蓋が落ちることがあった。
（ホ）鍋と蓋の隙間を大きくするために蓋を横にずらせ過ぎると、安定が悪くなり落ちることがあった。
（ヘ）蓋を横にずらせると、火力の熱で蓋が加熱されて破損したり、火傷の危険があった。
（ト）調理中、鍋の中の状態は刻々と変化するが、蓋を横にずらす方法では調整範囲は小さく、特に弱火調理時の火力調節が難しくふきこぼれていた。
（チ）従来、調理中に鍋の蓋が邪魔にならないように、保管しておく機能の物は考えられていたが、調理の火力に合わせて鍋と蓋の隙間を段階的に調整できる物が無かった。
（リ）蓋を立てて置くための補助具では鍋の重心位置が高くなり、鍋の安定が悪く転倒する危険がある。
（ヌ）色々な鍋や蓋に付け替えて使用し隙間を調整できる物が無かった。
本発明はこれらの問題点を解決するためになされたものである。
【課題を解決するための手段】
【０００５】  調節具本体（１）を弾力と耐熱性があるシリコンゴム等や合成樹脂で設け、一方の端に鍋（７）と蓋（６）の縁を挟み込める溝１（３）溝２（４）を設ける。調節具本体（１）の胴体に階段状の凸凹（２）を複数設け、もう一方の端に調節ツマミ（４）を設ける。鍋（７）と蓋（６）の縁に調節具本体（１）の溝１（３）溝２（４）を挟み込み、蓋（６）の縁を階段状の凸凹に載せた。  以上を特徴とする鍋と蓋の隙間調節具である。
【発明の効果】
【０００６】（イ）調理中、鍋と蓋の間に最適な間隔で隙間を空けて、ふきこぼれることが無く、又調理中に空気中に逃げる熱を少なくなり、調理に使う火力の無駄を少なくした。
（ロ）調理中、蓋を上に持ち上げて隙間を空けても、鍋の上部を覆っているので、調理時の煮汁の跳ねの飛び出しが減り、汚れが少なく衛生的になる。
（ハ）キャンプ等屋外で調理時、蓋が上部に浮いた状態で鍋の上部を覆い、埃や虫が入りにくく衛生的になる。
（ニ）鍋から蓋を横にずらさずに、鍋と蓋の端を隙間調節具の溝で挟み込んで保持するので、調理中の振動で蓋が落ちることが無い。
（ホ）鍋と蓋を持ち上げて縁を隙間調節具の溝で挟み込んでいるので、蓋を鍋から横にずらして隙間を空けた状態と比べて、安定して落ちることが無い。
（ヘ）蓋を横にずらせる方法に比べて火力の熱を蓋は受けなく、蓋が加熱されて破損したり、使用者が火傷する危険が少ない。
（ト）調理の進行状況に合わせて、蓋を上下に調節して、ふきこぼれ無いように出来る。特に弱火調理時の火力調節がし易く、少ない火力で無駄なく調理できるようになる。
（チ）調理の火力に合わせて鍋と蓋の隙間を段階的に調節できる。
（リ）蓋を立てないため重心が低く、鍋が安定する。
（ヌ）色々な鍋や蓋に付け替えて使用できる。
（ル）菜箸やお玉を鍋に安定して置いておくことができ、蓋を被せた状態でも置いておくことが出来る。
（ヲ）鍋以外の調理用ボウルや食器等の縁に取り付け、スプーンや箸の転がりや、内部への落ち込み止めに利用できる。
（ワ）付け外して簡単に洗浄できて衛生的に使用、収納出来る。
【図面の簡単な説明】
【０００７】
【図１】  本発明の側面図である。
【図２】  本発明使用状態の側面図である。
【図３】  本発明の請求項２の側面図である。
【図４】  本発明の請求項３の側面図である。
【発明を実施するための形態】
【０００８】  以下、本発明の実施の形態について説明する。
（イ）調節具本体（１）を弾力性と耐熱性があるシリコンゴム等や合成樹脂で設ける。
（ロ）調節具本体（１）の一方の端と内側に、鍋と蓋の縁を挟み込める溝１（３）溝２（４）を設ける。
（ハ）調節具本体（１）の胴体に階段状の凸凹（２）を複数設ける。
（ニ）調節具本体（１）のもう一方の端に端に調節ツマミ（５）を設ける。
以上を特徴とする鍋と蓋の隙間調節具である。
本発明は以上のような構成である。
これを使用するときは、
（ホ）１個から複数個の調節具本体（１）を、鍋（７）の縁に溝１（３）を挟み込み取り付ける。
（ヘ）蓋（６）の縁を鍋（７）の縁に取り付けた、調節具本体（１）の溝２（４）に挟み込み鍋（７）に取り付ける。
（ト）調理中の鍋（７）の中の状態に合わせて、蓋（６）の片方又は数箇所の縁を調節具本体（１）の階段状の凸凹（２）に乗せて、蓋（６）を上げ下げして鍋（７）と蓋（６）の隙間の間隔を調整する。
（チ）蓋（６）の片方を階段状の凸凹（２）に乗せて、隙間を調節する。
（リ）蓋（６）を複数の階段状の凸凹（２）に乗せ、蓋（６）全体を上下して隙間を調節する。
（ヌ）調節具本体（１）の形状をＬ字形とする。
（ル）調節具本体（１）の形状を動植物の意匠とする。
以上を特徴とする、鍋と蓋の隙間調節具である。
【符号の説明】
【０００９】１  隙間調節具本体
２  階段状の凸凹
３  溝１
４  溝２
５  調節ツマミ
６  蓋
７  鍋
【図１】
2017070697.tif 000003
【図２】
2017070697.tif 000004
【図３】
2017070697.tif 000005
【図４】
2017070697.tif 000006
(57)【要約】      （修正有）【課題】歯磨き時に、歯ブラシ面をどの歯面にも平行に当てられ汚れを均等に落とすことができる新規歯ブラシを提供する。【解決手段】歯ブラシを、刷毛４を備えた頭部２と把柄部とに挟まれた頸部３を切断し左右に分割されて別体となった両断面部分のそれぞれに穴を開けバネを入れ頸部３を当接させ連結させ、分割両断面には凹凸加工を施し刷毛を含む頭部２が歯に平行に当てた時に把柄部を含む右頸部が歯面に平行を保つ角度に傾斜したとき左凹部と右凸部の１点が接触し左頸部と右頸部が歯面に当たる角度を保持でき歯磨き時の頭部と把柄部の安定化が図られる。又、頸部分割部には傾斜時に口腔筋肉に挟み込みを防止チューブを被着させる。【選択図】図１
2017070696.tif 000002
【特許請求の範囲】
【請求項１】
歯ブラシが、刷毛を備えた頭部と、把柄部と、これら頭部と把柄部との間に挟まれた頸部とからなり、前記頸部は、その略中央部で分割されて、左側頸部部分と右側頸部部分とにされており、前記左側頸部部分の分割面と前記右側頸部部分の分割面には、それらの分割面に開口する穴がそれぞれ穿設され、それらの穴を通して、１個のバネがきつく挿入されて、前記頭部と前記左側頸部部分とを含む前記歯ブラシの一半部と、前記把柄部と前記右側頸部部分とを含む前記歯ブラシの他半部とが、相対的に３次元折曲自在に当接されて連結され、前記左側頸部部分の前記分割面には、前記穴の奥方に向けて窪む凹加工又は前記穴の外方に向けて突出する凸加工が施され、前記右側頸部部分の前記分割面には、前記穴の外方に向けて突出する凸加工又は前記穴の奥方に向けて窪む凹加工が施されて、歯磨き時、前記頭部が歯面に平行に当たるようにしたとき、前記左側頸部部分の前記分割面の凹又は凸加工と前記右側頸部部分の前記分割面の凸又は凹加工とが１点で接触して、前記歯ブラシの一半部と前記歯ブラシの他半部との間の相対的な最大折曲角度が保持されて前記歯ブラシの姿勢の安定化が図れ、また、前記頭部が歯面から離れたとき、前記歯ブラシの姿勢が初期状態に復するようにされている、ことを特徴とする３次元折曲自在の歯ブラシ。
【請求項２】
前記バネの押付力により、均等圧で歯を磨くことができる請求項１に記載の歯ブシ。
【請求項３】
前記バネは、前記両分割面に穿孔された前記穴にきつく挿入されて、容易には抜けないようにされていることを特徴とする請求項１に記載の歯ブラシ。
【請求項４】
前記頸部の分割部には、ゴム製のチューブが被着されて、口腔内の筋肉の挟み込みが防止されたことを特徴とする請求項１に記載の歯ブラシ。
【発明の詳細な説明】
【技術分野】
【０００１】この発明は、歯磨き時の洗浄力を大幅に改善した３Ｄ折曲歯ブラシに関する。
【背景技術】
【０００２】現行の通常歯ブラシ、電動歯ブラシ等では、頸部（ネック）が曲がらないので、現行の歯ブラシでは、歯の内側の奥部においてブラシ部が斜めに当たる。このため、奥歯等にブラシが平行に当たり難いので、内側の奥部まで十分に磨くことができないという難点があった。特許文献１参照
【先行技術文献】
【特許文献】
【０００３】
【特許文献１】  特開２００５−２４５９９７
【発明の概要】
【発明が解決しようとする課題】
【０００４】本発明は、歯磨き時に、どの歯面でも均等に汚れを落とすことが出来る新規な歯ブラシを提供することを課題とする。
【課題を解決するための手段】
【０００５】本発明の３Ｄ折曲歯ブラシは、刷毛を備えた頭部（ヘッド）と把柄部（ハンドル）に挟まれた頸部（ネック）を切断し分割されて別体となった両断面部のそれぞれに穴を開け、バネを入れ頸部（ネック）を当接させ自在に頸部（ネック）が曲がることで、歯面とブラシ面が平行に当たるようにするものである。
【発明の効果】
【０００６】本発明により、通常ブラシ、電動ブラシでは当たり難い歯の裏側等にネック部が自在に角度を変えられるので、ブラシ部が歯面に平行に当たり今まで磨き難いとされていた歯の裏側部分の磨き残し等を解消することができる。又バネで歯の磨き面にブラシが均等圧で当たる為すべての歯面に対しても汚れを均等に落とすことが出来る。
【図面の簡単な説明】
【０００７】
【図１】一部を断面にして示す本発明の歯ブラシの正面図である。
【図２】刷毛（ブリストルズ）が歯面に対し平行に当たった時の把柄部（ハンドル）の変位位置を示す本発明の歯ブラシの一態様を正面視した説明図である。
【図３】刷毛（ブリストルズ）が歯面に対し平行に当たった時の把柄部（ハンドル）の変位位置を示す本発明の歯ブラシの一態様を平面視した説明図である。
【発明を実施するための形態】
【０００８】以下、図１〜図３を参照して、本発明の３Ｄ折曲ブラシの実施例を詳細に説明する。
本発明は段落［０００６］に記載のものである。
穴にバネを入れるに際しては、穴にバネが窮屈に挿入し、両側の頸部（ネック）部分が固く連結させるようにする。又、頸部（ネック）の切断個所を含む部分は挟み込み防止チューブを被着させ、歯磨き時に口腔内筋肉が折曲部に挟みこまれることを防止するようにする。
【０００９】歯ブラシ頸部連結部、両断面部分は凹凸加工し、ブラシ面が歯面に平行に当たると歯面の傾斜に応じて、把柄部（ハンドル）を含む右頸部（ネック）が傾き、頸部連結部両断面の凹４５度、凸４５度の１点が当接し、他の両断面は分離して、凹と凸で一定の角度で角度を保持し、歯磨き時の歯ブラシの姿勢の安定化が図られる。
【００１０】「実施形態の効果」
本発明により、通常ブラシ、電動歯ブラシでは当たり難い歯の裏側等にネック部が自在に角度を変えられるので、ブラシ部が歯面に平行に当たり今まで磨き難いとされていた歯の裏側部分の磨き残し等を解消することができる。又バネで歯の磨き面にブラシが均等圧で当たる為すべての歯面に対しても汚れを均等に落とすことが出来る。
【符号の説明】
【００１２】１：把柄部（ハンドル）  ２：頭部（ヘッド）  ３：頸部（ネック）
４：刷毛（ブルストルズ）  ５：バネ  ３：頸部分割部詳細図
３−１頸部左側分割部  ３−２頸部右側分割部
【図１】
2017070696.tif 000003
【図２】
2017070696.tif 000004
【図３】
2017070696.tif 000005
(57)【要約】      （修正有）【課題】裁縫時に使用する針の落とし針や不明針を掃除しつつ、すみやかに安全に針を回収できる針用モップを提供する。【解決手段】磁石１を有するモップ軸３と、前記モップ軸３とを結合された取っ手８と、前記モップ軸３を内部に収納するモップ部とを有し、モップ部は前記モップ軸３を収納する収納部４と、周囲に形成された複数の襞部６を備えたことを特徴とする針用モップ７である。【選択図】図２
2017070487.tif 000002
【特許請求の範囲】
【請求項１】
磁石を有するモップ軸と、前記モップ軸と結合された取っ手と、前記モップ軸を内部に収納するモップ部とを有し、前記モップ部は、前記モップ軸を収納する収納部と、前記収納部周辺に形成された複数の襞部とを備えた針用モップ。
【発明の詳細な説明】
【技術分野】
【０００１】
本発明は針用モップに関するものである。
【背景技術】
【０００２】
市販されている小型モップはほこりは集塵するが針など小金属を拾うことはできない。箒状又はローラー状のものに磁石を取り付け、広い場所の小金属を拾う掃除具はある（特許文献１参照）。しかし、この掃除具は大きさや手軽さにおいて裁縫時にはなじまない。
【先行技術文献】
【特許文献】
【０００３】
【特許文献１】特開２００７−１８１５０２３号公報
【発明の概要】
【発明が解決しようとする課題】
【０００４】
裁縫時は、縫い針はもとより，打ち針、マチ針など相当量の針を使用するが、その針を片ずけたつもりであっても往々にして思わぬ場所に落ちていたり、突きささっていたりするものである。
【０００５】
本発明は裁縫時および裁縫後に落ち針や不明針を、こまめに手軽くすみやかに安全に針を回収して危険を取り除くことができる針用モップである。
【課題を解決するための手段】
【０００６】
本発明は、磁石を有するモップ軸と、前記モップ軸と結合された取っ手と、前記モップ軸を内部に収納するモップ部とを有し、前記モップ部は、前記モップ軸を収納する収納部と、前記収納部の周囲に形成された複数の襞部を備えた針用モップである。
【発明の効果】
【０００７】
寝具から針が出てきた、衣類に針がついていた話は良く耳にします。本発明では、裁縫時、裁縫終了時にこまめに掃除をすることにより、落とし針や不明針を安全に回収し身体への被害を最小限に食い止めることができる。
【図面の簡単な説明】
【０００８】
【図１】本発明の針用モップの全体斜視図
【図２】本発明の針用モップの分解図
【発明を実施するための形態】
【０００９】
本発明の実施の形態を図を用いて説明する。
【００１０】
図１、図２に示すように、本実施の針用モップ７は、取っ手８と一体的に結合された軸２に磁石１を取り付け、モップ軸３を形成する。
【００１１】
次に、複数の長方形の布を重ねあわせた長方形の短辺の一部が開口するように、さらに中央部に袋状の収納部４が形成されるように、複数の布を縫い合わせてモップ部５を形成する。
【００１２】
その後、上記開口部である収納口９の反対側を半円に裁断し収納部４の周辺に残る布に外側から収納部４側に向かって切り込みを入れ、襞部６を形成する。
【００１３】
その後、矢印に示すように、モップ軸３を収納部４に差込み取っ手８を外部に露出することにより針用モップ７を完成させる。  
【００１４】
本発明に使用する磁石１は、セラミック磁石などごく普通の磁石である。本実施の形態では一本のセラミック磁石を使用したが、複数の小型磁石を並べて使用しても良い。
【００１５】
本発明に使用するモップ部５の布は、拾った針を目で見て確認するために、静電気を帯びやすい化学繊維で多少厚めの布、たとえば合成フエルトなどに切り込みを入れた襞状のものがふさわしい。本施の形態では合成フエルト３枚を重ねて使用した。
【００１６】
市販品に使用される細糸状をたばねたモップ部は、本発明モップ部には適さない。なぜなら、拾った針がモップ部の中に潜り込み確認できない上、不用意に触ると危険である。
【００１７】
本発明が使用する本体の軸２と取っ手８の素材は、プラスチック、天然、金属を含め材質は選ばない。
【００１８】
本発明の本体の大きさは、使用場所や目的によりモップ部５の面積はもとより、磁石１の大小、軸２と取っ手８の長短もおのずと変化する。
【００１９】
本発明の針用モップは縫製を業とする場で使用すれば、不明針の損害を防ぐことができる。又、落とし針や不明針による身体被害も少なからず軽減するものと考えられる。
【産業上の利用可能性】
【００２０】
本発明は、落とし針や不明針などを安全に回収することができるので、家庭内はもとより業務用の縫製場所などで有用である。
【符号の説明】
【００２１】
１    磁石
２    軸
３    モップ軸
４    収納部
５    モップ部
６    襞部
７    針用モップ
８    取っ手
９    収納口
【図１】
2017070487.tif 000003
【図２】
2017070487.tif 000004
(57)【要約】【課題】  本発明は狭い溶室に棚を設け物の整理掃除を容易にするために混合詮の一端を利用し蓋マット置き台を設けた蓋マット置き台を提供【解決手段】  混合詮６に従柱２横柱３をスライドコマ１で束ねてスライドコマネジ穴４とナット５で締め付けて固め仕上げるを特徴とする【選択図】図１
2017070703.tif 000002
【特許請求の範囲】
【請求項１】
混合詮（６）の１端に従柱（２）横柱（３）をスライドコマ（１）で束ねネジ穴（４）にナット（５）をねじり込み締め込み固める蓋マット置き台
【発明の詳細な説明】
【技術分野】
【０００１】  本発明は混合詮を活用した蓋マット置き台に関する物である
【背景技術】
【０００２】  ユニットバスは狭く素人が手を加えられない
構造が一般的であった
【先行技術文献】
【特許文献】
【０００３】
【特許文献１】特開      号公報
【発明の概要】
【発明が解決しようとする課題】
【０００４】  これは次のような欠点があった
従来浴槽はゆったり湯を楽しめた  今はユニットの普及で小物が増え部屋が狭く成った
本発明は以上の様な欠点をなくするためになされた物である
【課題を解決するための手段】
【０００５】  混合詮（６）１端にスライドコマ（１）にて左右高低調整出来る
従柱（２）横柱（３）を束ねる
スライドコマのネジ穴（４）ナット（５）により締め付け固めた蓋マット置き台である
【発明の効果】
【０００６】（イ）ユニットバスの決った空間を無限の知恵で広げた蓋マットの置き場所が出来精神的苦痛から解放された
（ロ）水気が切れる
（ハ）湿気の防止でカビが防がれる
（ニ）溶室が整理され掃除がしやすく成った
【図面の簡単な説明】
【０００７】
【図１】  本発明のスライドコマ断面図である
【図２】  本発明の蓋マット置き台の正面図である
【発明の実施をするための形態】
【０００８】以下  本発明の実施の形態について説明する
混合詮６の１端に横柱３を設けスライドコマを配置
このコマを中心に従柱２を設ける  以上のくり返で組み込みスライドコマの中心にネジ穴４を設けこの穴に５ナットをねじ込みしめ固める  以上出来上りの蓋マット置き台を６混合詮に設ける
【符号の説明】
【０００９】図１  スライドコマ断面図
１  スライドコマ  ２  従柱  ３  横柱  ４  ネジ穴  ５  チョウネジ
図２  蓋マット置き台正面図
【図１】
2017070703.tif 000003
【図２】
2017070703.tif 000004
(57)【要約】【課題】紐状の巻回部分を除いた固有形状によって装飾効果を得るネクタイ装飾具を提供すること。【解決手段】ネクタイ１の前面に配される装飾具本体２と、装飾具本体２に貫通される透明で伸縮性を有する紐体３と、紐体３をネクタイ１の背面において係止する係止具４とを備えるネクタイ装飾具を提供する。透明な紐体３が視認されず、装飾具本体２のみがネクタイ前面に配されているように見える。また、紐体３が伸縮性を有することによって、ノットのサイズのバリエーションに対応することができる。【選択図】図１
2017070538.tif 000002
【特許請求の範囲】
【請求項１】
ネクタイ前面に配される装飾具本体と、
前記装飾具本体に貫通される、透明で伸縮性を有する紐体と、
前記紐体を、前記ネクタイの背面において係止する係止具とを備えることを特徴とする、ネクタイ装飾具。
【請求項２】
前記紐体は、３ｍｍ以下の径を有することを特徴とする、請求項１に記載のネクタイ装飾具。
【発明の詳細な説明】
【技術分野】
【０００１】
本発明は、ネクタイの結び目の周辺に装着されるネクタイ装飾具に関する。
【背景技術】
【０００２】
ネクタイの結び目の周辺に装着されるネクタイ装飾具が知られている。ネクタイのデザインに更に装飾を加えるものである。
【０００３】
例えば特許文献１には、ネクタイをねじった部分（ノット）に巻回して装着するネクタイ装飾具が開示されている。
【０００４】
しかし、特許文献１に開示されたるネクタイ装飾具は、巻回する部分が視認されるため、巻回する部分の全体に装飾性を持たせない限り、紐状の巻回する部分によって装飾性が失われてしまう。すなわち、十字形状その他の固有形状の装飾具としては不十分なものであった。
【先行技術文献】
【特許文献】
【０００５】
【特許文献１】特開２０１０−０４２１９４号公報
【発明の概要】
【発明が解決しようとする課題】
【０００６】
本発明は、紐状の巻回部分を除いた固有形状によって装飾効果を得るネクタイ装飾具を提供することを課題とする。
【課題を解決するための手段】
【０００７】
本発明のネクタイ装飾具は、
ネクタイ前面に配される装飾具本体と、
前記装飾具本体に貫通される、透明で伸縮性を有する紐体と、
前記紐体を、前記ネクタイの背面において係止する係止具とを備えることを特徴とする。
【０００８】
この特徴によれば、ネクタイ前面から見た時に紐体が視認されずに、装飾具本体のみが視認されるネクタイ装飾具が提供される。
【０００９】
本発明のネクタイ装飾具は、
前記紐体は、３ｍｍ以下の径を有することを特徴とする。
【００１０】
この特徴によれば、紐体が視認されないことを確実にすることができる。
【発明の効果】
【００１１】
本発明によれば、紐状の巻回部分を除いたす固有形状によって装飾効果を得るネクタイ装飾具を提供することが可能となる。
【図面の簡単な説明】
【００１２】
【図１】図１は、ネクタイ装飾具の構成を示す図である。
【図２】図２は、ネクタイ装飾具を装着した状態を示す図である。
【発明を実施するための形態】
【００１３】
図１は、ネクタイ装飾具の構成を示す図である。ネクタイ装飾具１は、装飾具本体２、紐体３、及び係止具４を備えている。
【００１４】
装飾具本体２は、ネクタイ前面に配される主たる装飾部分である。図では十字形状で示しているが、星型、円型等の任意の形状でよく、球、立方体等の立体形状であってもよい。また、動物等を模した形状でもよい。宝石、ガラス玉等を付して装飾効果を高めてもよい。
【００１５】
装飾具本体２には、紐体３を貫通させるリング２１が備えられている。ただし、リング２１に替えて装飾具本体２に孔をあける等、任意の機構で紐体３を貫通させてよい。
【００１６】
紐体３は、透明で、伸縮性を有する。例えば、シリコン製、ポリウレタン製のものが「透明ゴム」として知られている。紐体３は、視認されないように、直径が３ｍｍ以下の細いものであることが好ましい。
【００１７】
紐体３の端部には、かしめ３１が固定されている。かしめ３１はチェーン４１の一端に接続し、チェーン４１の他端に係止具４が接続されている。
【００１８】
係止具４は、左右の２つが接続と離脱を選択できる具材である。例えば、２つの係止具４を相互に磁着するマグネットとすることができる。この他にもネックレスの留め具（クラスプ）として用いられる任意のもの（例えば面ファスナ）が係止具４となり得る。
【００１９】
図２は、ネクタイ装飾具を装着した状態を示す図である。ネクタイ５のノット５１の直下の位置（ブレード５２の上端）にネクタイ装飾具１を回着し、係止具４を接続する。
【００２０】
紐体３の伸縮性により、紐体３の周長がブレード５２に合わせて調整され、ネクタイ装飾具１がブレード５２に固定される。
【００２１】
ネクタイ５の前面からは、ネクタイ装飾具１のうち装飾具本体２及び紐体３（の一部）が視認される。紐体３は透明であるのでほとんど見えず（図においては破線で示しているが、実際にはほとんど見えない）、装飾具本体２のみがブレード５２に配されたように見える。
【００２２】
以上、一般的なネクタイのノットの周辺を装飾例を説明したが、本発明のネクタイ装飾具は、蝶ネクタイ、バロックタイ等の結び目の周辺を装飾することが可能である。
【産業上の利用可能性】
【００２３】
紐状の巻回部分を除いた固有形状によって装飾効果を得るネクタイ装飾具であり、多くの個人による利用が考えられる。
【符号の説明】
【００２４】
１    ネクタイ装飾具
２    装飾具本体
２１  リング
３    紐体
３１  かしめ
４    係止具
４１  チェーン
５    ネクタイ
５１  ノット
５２  ブレード
【図１】
2017070538.tif 000003
【図２】
2017070538.tif 000004
(57)【要約】      （修正有）【課題】本発明は、充電初心者や高齢者でも駐車角度や前後の違いなどを自由に選べ、駐車設備に簡単に設置でき、深夜電力やソーラー発電時の余剰電力を利用する。充電忘れと充電量不足の解消、【解決手段】本発明は、自動充電装置用電源プラグを有する自動充電装置で簡単確実に充電できる【選択図】図１
2017147063.tif 000002
【特許請求の範囲】
【請求項１】
プラグイン充電方式の自動車に充電するために使用する自動充電装置用電源プラグである、
前記電源プラグは其のプラグの差し込み角度を自由に設定でき位置補正できる構造とする
【発明の詳細な説明】
【技術分野】
【０００１】
本発明は、プラグイン充電方式の自動車に充電するために使用する電源プラグで其のプラグの差し込み角度を自由に設定でき位置補正できる構造を持つ装置です
【背景技術】
【０００２】
本発明の場合、PHV  PHEV  EV自動車の所有者が自宅駐車場で毎日充電する際、駐車車両の角度や前後が狂っても確実に充電を出来るための自動充電装置用電源プラグです
【０００３】
発明を実施するためには、まず  PHV  PHEV  EV自動車の中央下部に前記電源プラグの片方を設置し前記の電源プラグを有する自動充電装置から充電する                      
【０００４】
駐車する自動車の駐車角度や前後の違いなどを自由に選べるので  充電初心者や高齢者でも自動車に簡単に自動充電できる  
【先行技術文献】
【特許文献】
【０００５】
【特許文献１】特開  ２０１４−０７５２３０
【発明の概要】
【発明が解決しようとする課題】
【０００６】
解決しようとする問題点は充電初心者や高齢者でも自動車に簡単に自動充電できる
【課題を解決するための手段】
【０００７】
本考案は、所定の駐車場に駐車さえすれば充電初心者や高齢者でも  駐車角度や前後の違いなどを気にせず簡単に自動充電装置が働いて充電してくれる事
【発明の効果】
【０００８】
本発明は、充電初心者や高齢者でも駐車場に設置した自動充電装置により一番経済的な充電時間帯や方法で一定時間充電してくれる
【図面の簡単な説明】
【０００９】
【図１】自動充電装置用単相電源プラグの解説と説明
【図２】自動充電装置用三相電源プラグの解説と説明
【発明を実施するための形態】
【００１０】
本発明は駐車場内の指定の車の駐車スペースで駐車さえすれば充電初心者や高齢者でも  駐車角度や前後の違いなどを自由に選べ簡単に自動充電装置が働いて充電するための自動充電装置用電源プラグ
【図１】
2017147063.tif 000003
【図２】
2017147063.tif 000004
(57)【要約】      （修正有）【課題】熱電発電ユニットの冷却ブロックを効率的に空冷する方法を提供する。【解決手段】排熱設備７に設けられ、ゼーベック効果を利用して、廃熱を有する設備の廃熱から電気エネルギーを得る熱電発電において、熱電発電ユニット１の冷却ブロックを冷却するために、排熱設備の排ガスダクト８分岐したダクト１４を追加して形成し、排ガス用ファン１５で生じる負圧を利用して外気を導入して空気の流れを作ることで、熱電発電ユニットの一部を強制的に冷却する。【選択図】図７
2017147916.tif 000002
【特許請求の範囲】
【請求項１】
廃熱を有する設備の廃熱を利用して発電を行う熱電発電ユニットを冷却する方法において、廃熱を有する設備のダクト内の風速を利用して外気を取り入れ、その外気をユニットの冷却ブロック内に導入することで冷却ブロックを冷却する方法。
【請求項２】
請求項１において、取り入れた外気で冷却ブロック全体を冷却する方法。
【請求項３】
請求項２において、冷却ブロックをフィン形状にして冷却効果を高めたもの。
【請求項４】
請求項２において、冷却ブロックを剣山状の形状にして冷却効果を高めたもの。
【発明の詳細な説明】
【技術分野】
【０００１】  本発明は焼却炉など廃熱を有する設備からの廃熱を利用して発電する熱電発電ユニットに関する。
【背景技術】
【０００２】  ゼーベック効果を利用した熱電発電モジュールが知られており、熱電発電モジュールの一方を加熱し、もう一方を冷却するとその温度差から発電が可能で、焼却炉や工場設備などの廃熱を利用した発電に利用することが提案されている。【０００３】  焼却炉や工場設備の廃熱を利用する場合、通常図１に示す発電ユニットと呼ばれる装置を設備に装着して発電がおこなわれる。この発電ユニットは一般的に高温の熱源に接触する受熱ブロックと、低温液体を導入する冷却ブロックと、その間にゼーベック効果を利用した熱電発電モジュールが配置される構造からなる。【０００４】  上述のように水など低温液体を利用して冷却ブロックを冷却する方法が多く用いられるが、水の利用ができない環境にある場合や、水を利用することでコストが発生するなどの不都合があり、空気を利用して冷却ブロックを冷却することは重要である。
【発明の開示】
【発明が解決しようとする課題】
【０００５】  各種設備からの廃熱は様々な排ガスとともに発生することが多く、排ガスは通常図３のようにダクトを通じて強制的に屋外に排出させている。ダクト部に熱電発電ユニットを装着して発電を行う場合、図３のように発電ユニットの冷却ブロックを空冷する場合、自然対流により冷却されるが、その冷却効率は著しく低く、十分な冷却効果が得られない問題がある。【０００６】  図４に示すように冷却ブロック用の冷却ファンなどを用いて強制的に冷却する方法も試みられているが、冷却ファンなどを駆動するためには、そのための電気エネルギーなどが必要で、廃熱を利用した発電の効果が低下する問題がある。
【課題を解決するための手段】
【０００７】  図５に示すようにダクトの一部を開放し、分岐のダクトを形成させ、発電ユニットの冷却板の内部を経由して外気を取り入れ、その外気の流れを利用してユニットの冷却ブロックを冷却させる。設備のダクト内の上昇気流は設備からの高熱のガスによるため大きな流速が期待でき、この力を利用することで、この外気の流れの流速は自然対流と比較して格段に速い。理論的に流速が早いほど気体と冷却ブロック間の熱伝達係数が大きくなり冷却効果が高くなる。【０００８】  図６に示すようにダクトに強制的な排ガスを行うためにファンを設けている場合は、より効果が大きくなる。【０００９】  図７に示すようにダクトの一部を開放させ、追加のダクトを形成させ、その内部にユニットの冷却ブロックを配置させて冷却ブロック全体を冷却させても良い。【００１０】  図８に示すように冷却ブロックをフィン形状にして冷却効果を高めることが可能である。【００１１】  図９に示すように冷却ブロックを剣山状の形状にして冷却効果を高めることが可能である。
【発明の効果】
【００１２】  本発明によれば新たな電力などのエネルギーを使用することなく冷却ブロックを強制的に冷却するための空気の流れを作ることができ、自然対流を利用した空冷と比較して効率的な冷却が可能である。
【発明を実施するための最良の形態】  以下、本発明を実施するための最良の形態について説明する。【００１３】  受熱ブロックを３００ｍｍ×１５０ｍｍ×厚さ５ｍｍのアルミ材により作製した。【００１４】図１０に示すように冷却ブロックを３００ｍｍ×１５０ｍｍ×厚さ９０ｍｍのアルミ材により作製し、厚さ方向に長さ８０ｍｍ×２０ｍｍのフィン形状を形成した。【００１５】受熱ブロックと冷却ブロックの間に５０ｍｍ×５０ｍｍ×厚さ４ｍｍの熱電発電モジュールを８個配置した。【００１６】図７に示すように設備ダクトから幅２００ｍｍ×高さ１００ｍｍの大きさのダクトを分岐させ、その内部に冷却ブロックが配置され、受熱ブロックがダクト本体に接触するように熱電発電ユニットを配置させた。
【図面の簡単な説明】
【００１７】
【図１】一般的な熱電発電ユニットの説明図である。
【図２】図１の断面図である。
【図３】廃熱設備に熱電発電ユニットを装着し、自然対流により冷却ブロックを冷却した例を示す図である。
【図４】廃熱設備に熱電発電ユニットを装着し、冷却ブロック用冷却ファンにより冷却ブロックを強制空冷した例を示す図である。
【図５】廃熱設備に熱電発電ユニットを装着し、設備のダクトを分岐させ冷却ブロック内を経由して外気を取り入れ冷却ブロックを冷却した例を示す図である。
【図６】図５において排ガス用ファンが搭載されている例を示す図である。
【図７】廃熱設備に熱電発電ユニットを装着し、設備のダクトを分岐させ、ダクト内に冷却ブロックを配置し取り入れた外気を利用して冷却ブロックを冷却した例を示す図である。
【図８】図７において冷却ブロックをフィン形状にして冷却効果を高めた例を示す図である。
【図９】図７において冷却ブロックを剣山形状にして冷却効果を高めた例を示す図である。
【図１０】本発明の実施形態におけるフィン形状の冷却ブロックの図である。
【符号の説明】
【００１８】１  熱電発電ユニット
２  熱電発電モジュール
３  受熱ブロック
４  冷却ブロック
５  冷却水用パイプ
６  冷却水
７  廃熱設備
８  排ガス用ダクト部
９  熱発生部
１０廃熱
１１排ガス
１２冷却風
１３冷却ブロック冷却用ファン
１４分岐したダクト
１５排ガス用ファン
１６フィン形状の冷却ブロック
１７剣山形状の冷却ブロック
【図１】
2017147916.tif 000003
【図２】
2017147916.tif 000004
【図３】
2017147916.tif 000005
【図４】
2017147916.tif 000006
【図５】
2017147916.tif 000007
【図６】
2017147916.tif 000008
【図７】
2017147916.tif 000009
【図８】
2017147916.tif 000010
【図９】
2017147916.tif 000011
【図１０】
2017147916.tif 000012